(57)【要約】【課題】  レンズの光軸方向への移動をガイドするガイド軸の位置調整が容易なレンズ鏡筒、及びこれを用いた撮像装置並びに光学装置を提供する。【解決手段】  レンズ枠６１は、下部鏡筒３２内に収納されており、ガイド軸６２，６３によって光軸方向への移動がガイドされている。調整レバー８０は、ガイド軸６２の下端部を軸受けする軸受部８１、及び調整ピン９０が挿通される挿通孔８２が形成されたレバー本体８３と、このレバー本体８３の挿通孔８２側から下部鏡筒３２の外部に突出するように延設された把持部８４とを有している。この調整レバー８０は、下部鏡筒３２によって、調整ピン９０を支点として光軸Ｌ２と垂直な平面内で移動自在に保持されている。また、把持部８４の縁端と挿通孔８２との間隔ＬＡは、挿通孔８２と軸受部８１との間隔ＬＢよりも長くされている。【選択図】        図７
2006208554.tif 000002
【特許請求の範囲】
【請求項１】
レンズを収納する鏡筒本体と、この鏡筒本体内に配置され、前記レンズの光軸方向への移動をガイドするガイド軸とを備えたレンズ鏡筒において、
前記ガイド軸の一方の端部を軸受けする軸受部、及び調整ピンが挿通される挿通孔が形成されたレバー本体と、このレバー本体の前記挿通孔側から前記鏡筒本体の外部に突出するように延設された把持部とを有するレバー部材を備え、
前記鏡筒本体によって、前記レバー部材が前記調整ピンを支点として前記光軸と垂直な平面内で移動自在に保持され、前記把持部の縁端と前記挿通孔との間隔は、前記挿通孔と前記軸受部との間隔よりも長くされていることを特徴とするレンズ鏡筒。
【請求項２】
前記挿通孔は、前記レバー本体の長手方向に沿って形成された長孔であり、前記長孔の幅は前記調整ピンの外径と略等しくされていることを特徴とする請求項１記載のレンズ鏡筒。
【請求項３】
前記把持部には溝が形成されており、この溝で切断可能にされていることを特徴とする請求項１または請求項２記載のレンズ鏡筒。
【請求項４】
前記調整ピンは、先端側にネジが形成されており、前記鏡筒本体に形成されたネジ穴と螺合されて固定されることを特徴とする請求項１ないし請求項３のいずれか記載のレンズ鏡筒。
【請求項５】
前記調整ピンには、前記ネジよりも後端側にフランジ部が形成され、このフランジ部と前記レバー部材との間に配置されたバネによって、前記レバー部材が前記鏡筒本体に向けて付勢されて取り付けられていることを特徴とする請求項４記載のレンズ鏡筒。
【請求項６】
前記レンズの位置を光学的に検出する光学的位置検出手段を備え、この光学的位置検出手段は前記レバー部材によって保持されていることを特徴とする請求項１ないし５のいずれか記載のレンズ鏡筒。
【請求項７】
前記レンズの位置を光学的に検出する光学的位置検出手段を備え、この光学的位置検出手段を保持する保持部材が、前記レバー部材に固定されていることを特徴とする請求項１ないし５のいずれか記載のレンズ鏡筒。
【請求項８】
請求項１ないし７のいずれか１つ記載のレンズ鏡筒と、被写体を撮像する撮像素子とを備えたことを特徴とする撮像装置。
【請求項９】
前記撮像素子を前記鏡筒本体に固定する固定部材を備え、この固定部材は、前記調整ピンによって支持されていることを特徴とする請求項８記載の撮像装置。
【請求項１０】
請求項１ないし７のいずれか１つ記載のレンズ鏡筒を備えたことを特徴とする光学装置。
【発明の詳細な説明】
【技術分野】
【０００１】
本発明は、レンズの光軸方向への移動をガイドするガイド軸を有するレンズ鏡筒、及びこのレンズ鏡筒を用いた撮像装置並びに光学装置に関する。
【背景技術】
【０００２】
近年、撮影レンズによって結像された被写体像を撮像する撮像素子を備え、この撮像素子によって得られた画像データをメモリカード等の記憶媒体に記憶させる撮像装置であるデジタルカメラが一般に普及している。
【０００３】
このようなデジタルカメラは、ユーザによって屋外に持ち出されて使用されることが多いため、カメラ本体の薄型化及び小型化によって携帯性を向上させることが望まれており、カメラ本体の携帯性を向上させるために、被写体光束が透過する撮影光学系の光路中に被写体光束を略直角方向に折り曲げる反射光学部材を配置し、被写体光束を結像させるのに必要な光路長を確保したレンズ鏡筒を用いてカメラ本体の小型化を実現したものが知られている（例えば、特許文献１参照）。
【０００４】
このようなレンズ鏡筒は、レンズの光軸方向への移動をガイドするガイド軸が鏡筒本体内に設けられており、レンズは、このガイド軸に沿って光軸方向に進退移動される。
【特許文献１】特開平９−２１１２８７号公報
【発明の開示】
【発明が解決しようとする課題】
【０００５】
しかしながら、上記特許文献１に記載のレンズ鏡筒では、ガイド軸が鏡筒本体内に設けられており、ガイド軸の位置を調整することが難しいという問題があった。
【０００６】
本発明は上記事情に鑑みてなされたものであり、レンズの光軸方向への移動をガイドするガイド軸の位置調整が容易なレンズ鏡筒、及びこれを用いた撮像装置並びに光学装置を提供することを目的とする。
【課題を解決するための手段】
【０００７】
上記課題を解決するために、本発明のレンズ鏡筒は、レンズを収納する鏡筒本体と、この鏡筒本体内に配置され、前記レンズの光軸方向への移動をガイドするガイド軸とを備えたレンズ鏡筒であり、前記ガイド軸の一方の端部を軸受けする軸受部、及び調整ピンが挿通される挿通孔が形成されたレバー本体と、このレバー本体の前記挿通孔側から前記鏡筒本体の外部に突出するように延設された把持部とを有するレバー部材を備え、前記鏡筒本体によって、前記レバー部材が前記調整ピンを支点として前記光軸と垂直な平面内で移動自在に保持され、前記把持部の縁端と前記挿通孔との間隔は、前記挿通孔と前記軸受部との間隔よりも長くされていることを特徴とするものである。
【０００８】
また、前記挿通孔は、前記レバー本体の長手方向に沿って形成された長孔であり、前記長孔の幅は前記調整ピンの外径と略等しくされていることが好ましい。さらに、前記把持部には溝が形成されており、この溝で切断可能にされていることが好ましい。
【０００９】
また、前記調整ピンは、先端側にネジが形成されており、前記鏡筒本体に形成されたネジ穴と螺合されて固定されることが好ましい。さらに、前記調整ピンには、前記ネジよりも後端側にフランジ部が形成され、このフランジ部と前記レバー部材との間に配置されたバネによって、前記レバー部材が前記鏡筒本体に向けて付勢されて取り付けられていることが好ましい。
【００１０】
前記レンズの位置を光学的に検出する光学的位置検出手段を備え、この光学的位置検出手段は前記レバー部材によって保持されていても良いし、光学的位置検出手段を保持する保持部材が、前記レバー部材に固定されていても良い。
【００１１】
また、本発明の撮像装置は、上記記載のレンズ鏡筒と、被写体を撮像する撮像素子とを備えたことを特徴とするものである。さらに、前記撮像素子を前記鏡筒本体に固定する固定部材を備え、この固定部材は、前記調整ピンによって支持されていることが好ましい。
【００１２】
さらに、本発明の光学装置は、上記記載のレンズ鏡筒を備えたことを特徴とするものである。
【発明の効果】
【００１３】
本発明のレンズ鏡筒によれば、鏡筒本体の外部に突出した把持部を把持して、レバー部材を移動させることによって、レンズの光軸方向への移動をガイドするガイド軸の位置調整を容易に行うことができる。また、把持部の縁端と挿通孔との間隔が、挿通孔と軸受部との間隔よりも長くされているので、把持部の縁端の移動量に対してガイド軸の移動量が小さくなり、ガイド軸の位置を微調整しやすい。
【００１４】
また、挿通孔はレバー本体の長手方向に沿って形成された長孔であり、長孔の幅が調整ピンの外径と略等しくされているので、レバー部材は、調整ピンを回転中心として回転する方向、及び長手方向にのみ移動可能であり、その他の方向への移動が規制されるのでガイド軸の位置調整が容易である。
【００１５】
溝が形成された位置で把持部を切断することができるので、ガイド軸の位置調整を行った後、把持部を切断することによってレバー部材が鏡筒本体から突出しない形状にすることができる。
【００１６】
レバー部材が移動された時に、光学的位置検出手段がレバー部材と一体に移動するので、レンズ枠に形成された遮光部材と光学的位置検出手段とが干渉することを防止できる。
【発明を実施するための最良の形態】
【００１７】
図１及び図２に示すデジタルカメラ１０は、カメラ本体１１の前面に、前レンズ１２及びストロボ発光部１３が設けられており、上面には、電源ボタン１４及びシャッタボタン１５が設けられている。
【００１８】
カメラ本体１１の背面には、ＬＣＤ（Liquid Crystal Display）１６、ズーム操作ボタン１７、カーソルボタン１８、及びモード切替ボタン１９が設けられている。モード切替ボタン１９は、撮影画像をメモリカードに記録する撮影モードと、メモリカードに記録された画像を再生する再生モードと、各種設定を行うセットアップモードとを切り替える際にユーザによって操作される。
【００１９】
ＬＣＤパネル１６は、画像再生に使用される他、撮影モード時には、フレーミング用のスルー画を表示する電子ビューファインダとしても機能する。また、ＬＣＤパネル１６は、セットアップモードに設定された時にメニュー画面を表示する。カーソルボタン１８は、このメニュー画面上でのカーソルの移動や、メニュー画面に表示された項目を選択する際に操作される。ズーム操作ボタン１７は、ズーム倍率を変更する際に操作される。
【００２０】
また、カメラ本体１１には、前述の前レンズ１２を備えたレンズ鏡筒２０が組み込まれている。以下に、このレンズ鏡筒２０の構成を説明する。図３及び図４に示すレンズ鏡筒２０は、鏡筒本体２１に各種部品が組み込まれて構成されている。
【００２１】
鏡筒本体２１は、上部鏡筒３１と、下部鏡筒３２とを備えて構成されている。また、これらの鏡筒３１，３２の間には、レンズ保持板３３及びシャッタユニット３４とが設けられている。
【００２２】
上部鏡筒３１は、前レンズ１２、プリズム４１、及び後レンズ群４２からなる第１レンズ群４３と、第２レンズ群４４とを保持している。上部鏡筒３１は、断面形状が略三角形のフレームからなるプリズム収納部４５と、プリズム収納部４５の下方に形成され略直方体形状のフレームからなるレンズ収納部４６とを備えている。
【００２３】
プリズム収納部４５の前面には、前レンズ１２を保持するレンズ枠４７が取り付けられており、前レンズ１２の背後には、横長な矩形の開口４５ａが形成されている。また、前レンズ１２と開口４５ａとの間には、遮光マスク４８が設けられている。この遮光マスク４８は、撮影画像に悪影響を及ぼす光、つまり開口４５ａの上方から入射する太陽光などの有害光を遮光する。
【００２４】
プリズム収納部４５内には、三角柱形状の直角プリズム４１が収納され、前レンズ１２の背後に配置されている。この直角プリズム４１は、前レンズ１２と対面し、前レンズ１２を透過した被写体光束が入射する入射面４１ａと、入射面４１ａと鋭角をなして連なるとともに入射面４１ａから入射した被写体光束を略直角に反射する反射面４１ｂと、入射面４１ａと直角をなして連なるとともに反射面４１ｂで反射された被写体光束をプリズム外に出射させる出射面４１ｃとを有する。
【００２５】
前レンズ１２を透過した被写体光束は、入射面４１ａと略直交するように直角プリズム４１内に入射して、反射面４１ｂによって略直角に反射され、出射面４１ｃと略直交するように出射する。このため、前レンズ１２の光軸Ｌ１は、直角プリズム４１によって光軸Ｌ１と略直角な光軸Ｌ２に屈曲される。
【００２６】
また、レンズ収納部４６には、後レンズ群４２及び第２レンズ群４４が収納され、光軸Ｌ２上に配置されている。後レンズ群４２は、レンズ４２ａとレンズ４２ｂとで構成されており、レンズ枠４９によって保持されている。このレンズ枠４９は、直角プリズム４１の出射面４１ｃの下方に配置されており、レンズ収納部４６に固定されている。第２レンズ群４４は、レンズ４４ａ〜４４ｃの３枚のレンズで構成されており、レンズ枠５０によって保持されている。
【００２７】
この第２レンズ群４４はズームレンズ群であり、後述するように光軸Ｌ２に沿って進退移動される。第２レンズ群４４よりも下方には、レンズ保持板３３が設けられている。このレンズ保持板３３は、上部鏡筒３１の下端を覆うように配置されており、第３レンズ群５１が設けられている。この第３レンズ群５１は、レンズ５１ａを備えて構成されており、第２レンズ群４４と対面する位置に配置されている。また、レンズ収納部４６には、第２レンズ群４４の光軸Ｌ２方向への移動をガイドする２本のガイド軸５２，５３が設けられており、光軸Ｌ２と平行に配置されている。これらのガイド軸５２，５３の一端は、レンズ収納部４６によって軸受けされ、他端は、レンズ保持板３３によって軸受けされている。これらのガイド軸５２，５３が、レンズ枠５０を光軸Ｌ２に沿って移動自在に保持している。
【００２８】
また、プリズム収納部４５の側部には、モータ５４が設けられており、回転軸５４ａが光軸Ｌ２と平行になるように配置されている。この回転軸５４ａには、回転止めされたネジ部材５５が螺合されている。モータ５４によって回転軸５４ａが回転されると、ネジ部材５５が光軸Ｌ２と平行な方向に進退移動する。このネジ部材５５は、レンズ枠５０と係合しており、レンズ枠５０が、ネジ部材５５によって押圧されて光軸Ｌ２に沿って移動する。
【００２９】
また、モータ５４はステッピングモータであり、レンズ枠５０の原点位置は、光学的位置検出手段であるフォトインタラプタ（図示せず）によって検出され、この検出信号に基づいて第２レンズ群４４の位置が制御される。これにより、光軸Ｌ２上において、第２レンズ群４４と、後述する第４レンズ群６０との相対的な距離が変化して被写体画像のズーミングが行われる。なお、このモータ５４は、ＤＣモータでも良い。この場合、第２レンズ群４４の位置を制御するためにエンコーダを設ければ良い。
【００３０】
さらに、レンズ保持板３３の下方には、シャッタユニット３４が設けられている。このシャッタユニット３４は、ユニット本体５６と、モータ５８とを備えて構成されている。このユニット本体５６の内部には、絞り機能を有するシャッタ装置５７が設けられており、ユニット本体５６の上下面には、第３レンズ群５１、及び後述する第４レンズ群６０に対面する位置に開口５６ａ，５６ｂが形成されている。シャッタ装置５７は、互いに対向する一対のシャッタ羽根等によって構成されており、モータ５８によって駆動される。このシャッタ装置５７によって、開口５６ａ，５６ｂに入射する被写体光の光量、すなわち、後述する第４レンズ群６０に入射する被写体光束の光量が調節される。なお、このモータ５８としては、ステッピングモータやＤＣモータが用いられる。
【００３１】
下部鏡筒３２には、第４レンズ群６０が収納されている。この第４群レンズ６０は、３枚のレンズ６０ａ，６０ｂ，６０ｃで構成され、レンズ枠６１によって保持されている。さらに、下部鏡筒３２内には、第４レンズ群６０の移動をガイドする２本のガイド軸６２，６３が光軸Ｌ２と平行に配置されている。第４レンズ群６０はフォーカスレンズ群であり、ガイド軸６２，６３によって、レンズ枠６１が光軸Ｌ２に沿って移動自在に保持されている。
【００３２】
また、下部鏡筒３２の外壁には、モータ６６が設けられており、回転軸６６ａが光軸Ｌ２と平行となるように配置されている。さらに、回転軸６６ａには、回転止めされたネジ部材６７が螺合されている。モータ６６によって回転軸６６ａが回転されると、ネジ部材６７が光軸Ｌ２と平行な方向に進退移動する。このネジ部材６７は、レンズ枠６１と係合しており、レンズ枠６１が、ネジ部材６７によって押圧されて光軸Ｌ２に沿って移動する。
【００３３】
モータ６６は、モータ５４と同様にステッピングモータである。図５に示すように、下部鏡筒３２の背面には、光学的位置検出手段であるフォトインタラプタ６８が設けられている。レンズ枠６１の原点位置は、このフォトインタラプタ（以下、ＰＩと称する）６８によって検出され、この検出信号に基づいて第４レンズ群６０の位置が制御される。ズーミングが行われた後、第４レンズ群６０が光軸Ｌ２に沿って進退移動し、被写体像のピントが調節される。なお、このモータ６６は、ＤＣモータでも良い。この場合、第４群レンズ６０の位置を制御するためにエンコーダを設ければ良い。
【００３４】
第４レンズ群６０の下方、すなわち下部鏡筒３２の下端部には、凹部である収納部７０が形成されている。この収納部７０には、前述の第１〜４レンズ群４３，４４，５１，６０によって結像された被写体像を撮像する撮像素子であるＣＣＤイメージセンサ（以下、単にＣＣＤと称する）７１が収納され、このＣＣＤ７０の前方には、光学的ローパスフィルタ７２が配置される。また、ＣＣＤ７１は、屈曲性を有する回路基板であるＦＰＣ７３上に実装されている。また、下部鏡筒３２の下端には、ＣＣＤ７１を収納部７０に固定するための固定部材である板バネ７４が配置され、この板バネ７４によって、ＣＣＤ７１がＦＰＣ７３側から上方に付勢されて収納部７０に固定される。なお、本実施形態において、撮像素子としてＣＣＤ７１を用いる場合を例に説明するが、これに限るものではなく、例えばＣＭＯＳイメージセンサを用いても良い。
【００３５】
また、前述のガイド軸６３の下端部は、下部鏡筒３２に形成されたボス７５によって軸受けされている。また、ガイド軸６２の下端部は、レバー部材である調整レバー８０によって軸受けされており、この調整レバー８０が下部鏡筒３２に取り付けられている。
【００３６】
次に、調整レバー８０の構成を説明する。図５及び図６に示すように、調整レバー８０は、ガイド軸６２の下端部を軸受けする軸受部であるボス８１、及び調整ピン９０が挿通される挿通孔８２が形成されたレバー本体８３と、このレバー本体８３の挿通孔８２側から下部鏡筒３２の外部に突出するように延設された把持部８４とを備えて構成されている。
【００３７】
さらに、この調整レバー８０には、前述のＰＩ６８を保持する保持板８５と、レバー本体と保持板８５とを連結する連結部８６とが設けられており、これらが一体に形成されている。把持部８４は、下部鏡筒３２の前面と隣接する位置に溝８４ａが形成されている。この溝８３は、把持部８４の長手方向と直交する方向に沿って形成され、断面がＶ字形状にされている。このため、この溝８４ａにて把持部８４を折って切断することが可能である。
【００３８】
また、挿通孔８２は、レバー本体８３の長手方向に沿って形成された長孔であり、長孔の幅は、調整ピン９０の本体９０ａの外径と略等しくされている。また、図７に示すように、把持部８４の縁端と挿通孔８２との距離ＬＡは、挿通孔８２とボス８１との距離ＬＢよりも長くされている。
【００３９】
また、調整ピン９０は、本体９０ａの先端側にネジ９０ｂが形成され、後端側には、十字溝が形成された頭部９０ｃが形成されている。さらに、ネジ９０ｂと頭部９０ｃとの間にフランジ部９０ｄが形成されている。調整レバー８０を下部鏡筒３２に取り付ける際に、ネジ９０ｂ側からバネ９１、平ワッシャ９２を調整ピン９０に通して、ネジ９０ａ側から調整ピン９０を挿通孔８２に挿通させる。下部鏡筒３２の下端部には、調整レバー８０を保持する保持部３２ａが形成されており、ネジ９０ａが保持部３２ａに形成されたネジ穴３２ｂに螺合されて、調整ピン９０が保持部３２ａに固定される。
【００４０】
この時、調整レバー８０とフランジ部９０ｄとの間にバネ９１が配置されており、このバネ９１によって調整レバー８０が保持部３２ａに向けて付勢される。さらに、ボス８１には、下方からバネ９３が挿入され、このバネ９３の下端は、板バネ７４の上面７４ａによって保持される。これにより、バネ９３によって調整レバー８０が保持部３２ａに向けて付勢され、ボス８１及び連結部８６の上面が保持部３２ａと当接する。このため、下部鏡筒３２によって、調整ピン８０を支点として調整レバー８０が光軸Ｌ２と垂直な平面内で移動自在に保持される。また、前述したように、挿通孔８２は長孔であり、その幅が調整ピン９０の本体９０ａの外径と略等しくされているので、調整レバー８０は、レバー本体８３の長手方向と直交する方向への移動が規制されている。
【００４１】
また、板バネ７４には、下部鏡筒３２の側面に形成された突起（図示せず）と係合する２つの係合孔７４ｂと、ネジ９４を挿通させる挿通孔７４ｃと、切欠き７４ｄとが形成されている。この板バネ７４を下部鏡筒３２に取り付ける際、２つの係合孔７４ｂを突起に係合させ、挿通孔７４ｃにネジ９４を挿通させて下部鏡筒３２に形成されたボス３２ｃのネジ穴と螺合させる。さらに、調整ピン９０が、切欠き７４ｄに嵌め込まれて、調整ピン９０によって板バネ７４が支持される。これにより、板バネ７４が下部鏡筒３２の下端を覆うように固定される。
【００４２】
前述のＰＩ６８は、投光部６８ａと受光部６８ａとを備えており、投光部６８ａと受光部６８ｂとの間が遮光された時に検出信号を出力する。また、レンズ枠６１には、ガイド軸６２が挿通されるボス６１ａが形成され、このボス６１ａに遮光板６１ｂが設けられている。このレンズ枠６１が原点位置に移動した時に、遮光板６１ｂによって投光部６８ａと受光部６８ｂとの間が遮光される。
【００４３】
次に、デジタルカメラ１０の電気的構成について説明する。図８に示すように、デジタルカメラ１０には、カメラ全体を制御するシステムコントローラ１００が設けられている。システムコントローラ１００は、各部を制御する制御プログラムが記憶されたＲＯＭ１００ａと、作業用データを一時的に記憶するＲＡＭ１００ｂとを備えている。システムコントローラ１００は、この制御プログラムに基づいて各部を制御する。
【００４４】
システムコントローラ１００は、モータドライバ１０１を介してモータ５４，５８，６６に接続されており、システムコントローラ１００がモータドライバ１０１を制御して、モータ５４，５８，６６を駆動する。前述したように、モータ５４は、前述の第２レンズ群４４を光軸Ｌ２に沿って進退移動させる。また、モータ５８はシャッタ装置５７を駆動する。さらに、モータ６６は、第４レンズ群６０を光軸Ｌ２に沿って移動させる。
【００４５】
また、システムコントローラ１００には、第４レンズ群６０及び第２レンズ群４４の原点位置を検出するＰＩ６８，６９が接続されており、これらの検出信号に基づいてモータ５４，６６を制御する。
【００４６】
さらに、システムコントローラ１００には、ＣＣＤドライバ１０３を介してＣＣＤ７１が接続されている。システムコントローラ１００は、ＣＣＤドライバ１０３を制御することによりＣＣＤ７１を駆動する。ＣＣＤ７１は、光電変換により被写体像を電気信号に変換して、アナログ信号である画像データを取得する。さらに、このＣＣＤ７１は、画像信号処理部１０４と接続されており、ＣＣＤ７１によって撮像された画像データが画像信号処理部１０４に出力される。この画像信号処理部１０４は、データバス１０５を介してシステムコントローラ１００に接続されており、システムコントローラ１００によって制御される。
【００４７】
画像信号処理部１０４は、相関二重サンプリング回路（ＣＤＳ）、増幅器（ＡＭＰ）、Ａ／Ｄ変換器、信号処理回路、メモリ、圧縮伸張処理回路等を備えて構成されている。ＣＤＳは、ＣＣＤ７１によって取得された画像データのノイズを除去する。ＡＭＰは、ノイズが除去された画像データを増幅してＡ／Ｄ変換器に出力する。Ａ／Ｄ変換器は、増幅された画像データをアナログ信号からデジタル信号の画像データに変換して信号処理回路に出力する。
【００４８】
信号処理回路は、デジタル信号の画像データに対して、階調変換、ホワイトバランス補正、γ補正等の各種画像処理と、ＹＣ変換処理とを施す。撮影モード時において、撮影処理が実行される前に画像信号処理部１０４に入力された画像データは、簡易な画像処理と簡易なＹＣ処理とが施されてＬＣＤドライバ１０６に出力される。システムコントローラ１００は、ＬＣＤドライバ１０６を制御して画像データをＬＣＤ１６にスルー画として表示させる。
【００４９】
また、撮影処理が実行された時に、画像信号処理部１０４に入力された画像データは、画像処理、ＹＣ変換処理、及び圧縮処理（例えばＪＰＥＧ方式）等が施される。システムコントローラ１００は、メディアコントローラ１０７を制御して圧縮された画像データをメモリカード１０８に記憶させる。また、再生モードでは、メモリカード１０８に記憶された画像データに対して伸張処理が施されて、ＬＣＤ１６に再生画像として表示させる。
【００５０】
また、システムコントローラ１００には、電源ボタン１４、シャッタボタン１５、ズーム操作ボタン１７、カーソルボタン１８、モード切替ボタン１９が接続されている。システムコントローラ１００は、各ボタンから操作信号を取得して、各操作信号に対応する処理を実行する。
【００５１】
次に、上記構成のレンズ鏡筒２０の作用について説明する。前述したように、調整レバー８０は、調整ピン９０を支点として光軸Ｌ２と垂直な平面内で、下部鏡筒３２によって、移動自在に保持されている。このため、図７に示すように、把持部８４を把持して左右に移動させた時に、調整ピン９０を回転中心として回転する。また、前述したように、把持部８４の縁端と挿通孔８２との距離ＬＡは、挿通孔８２とボス８１との距離ＬＢよりも長くされている。このため、把持部８１の左右方向への移動量に対してガイド軸６２の移動量が小さくなり、ガイド軸６２の位置を微調整することが容易である。
【００５２】
また、挿通孔８２は、レバー本体８３の長手方向に沿うように形成された長孔であり、把持部８１を把持して前後方向（長手方向）に移動させて、ガイド軸６２の位置調整を行うことができる。
【００５３】
さらに、挿通孔８２の幅は、調整ピン９０の本体９０ａの外径と略等しくされているので、長手方向と直交する方向への移動が規制されている。このため、調整レバー８０の移動は、調整ピン９０を回転中心として回転する方向、及び前後方向（長手方向）に限定される。このため、挿通孔８２を本体９０ａよりも大きな外径を有する丸孔にした場合よりも、移動方向が限定されてガイド軸６２の位置調整を行いやすい。
【００５４】
また、前述したように、ＰＩ６８は、調整レバー８０に一体に形成された保持板８５によって保持されており、ＰＩ６８は、調整レバー８０と一体に移動する。このため、ガイド軸６８の移動によって、遮光板６１ｂとＰＩ６８とが干渉することを防止できる。
【００５５】
ガイド軸６２の位置調整が終了した後、溝８４ａが形成された位置で把持部８４を切断することができるので、調整レバー８０が鏡筒本体２１から突出しない形状となる。このため、レンズ鏡筒２０をデジタルカメラ１０に組み込む際に、調整レバー８０が作業の支障になることはない。
【００５６】
なお、上記実施形態において、ＰＩ６８を保持する保持板８５を調整レバー８０に一体に設ける場合を例に説明したが、図９に示すように、レンズ鏡筒１１０を構成しても良い。レンズ鏡筒１１０では、下部鏡筒１１１の右側面にＰＩ６８が配置されている。このＰＩ６８は、保持板１１３によって保持されており、この保持板１１３が調整レバー１１４に固定されている。
【００５７】
第４レンズ群を保持するレンズ枠１１５は、右側端部に遮光板（図示せず）が形成されている。この場合も、調整レバー１１４と一体にＰＩ６８が移動するので、遮光板とＰＩ６８との干渉を防止することができる。なお、調整レバー１１４は、その他の構成が調整レバー８０と同様であり、詳しい説明を省略する。また、図９において、レンズ鏡筒２０と同様の部品には同一の符号を付して詳しい説明を省略する。
【００５８】
また、上記実施形態において、挿通孔８２の幅が調整ピン９０の本体９０ａの外径と略等しい長孔にする場合を例に説明したが、挿通孔８２を本体９０ａよりも大きな外径を有する丸孔にしても良い。しかし、長孔にすると調整レバーの移動方向が限定されてガイド軸６２の位置調整を行いやすいので、長孔にすることが好ましい。
【００５９】
さらに、上記実施形態において、ガイド軸６２のみに調整レバーを設けた場合を例に説明したが、その他のガイド軸に調整レバーを設けても良い。
【００６０】
また、上記実施形態では、屈曲光学系のレンズ鏡筒を用いる場合を例に説明したが、これに限るものではなく、被写体光束を屈曲させずに結像させる通常のレンズ鏡筒でも良い。
【００６１】
さらに、上記実施形態において、撮像装置としてデジタルカメラを例に説明したが、これに限るものではなく、デジタルビデオカメラに本発明を適用しても良い。また、本発明のレンズ鏡筒を撮像装置に適用した場合を例に説明したが、これに限るものではなく、銀塩カメラ、プロジェクタ等の光学装置に本発明を適用しても良い。
【図面の簡単な説明】
【００６２】
【図１】デジタルカメラの前面側の構成を示す斜視図である。
【図２】デジタルカメラの背面側の構成を示す斜視図である。
【図３】レンズ鏡筒の構成を示す断面図である。
【図４】レンズ鏡筒の構成を示す断面図である。
【図５】調整レバーの構成を示す断面図である。
【図６】調整レバーの構成を示す斜視図である。
【図７】調整レバーの構成を示す平面図である。
【図８】デジタルカメラの電気的構成を示すブロック図である。
【図９】レンズ鏡筒の構成を示す断面図である。
【符号の説明】
【００６３】
１０  デジタルカメラ
２０  レンズ鏡筒
２１  鏡筒本体
３１  上部鏡筒
３２  下部鏡筒
５２，５３，６２，６３  ガイド軸
６０  第４レンズ群
６１  レンズ枠
６８，６９  ＰＩ
７４  板バネ
８０，１１４  調整レバー
８１  ボス
８２  挿通孔
８３  レバー本体
８４  把持部
８４ａ  溝
８５，１１３  保持板
９０  調整ピン
９１ｂ  ネジ
９０ｄ  フランジ部
９１，９３  バネ
【図１】
2006208554.tif 000003
【図２】
2006208554.tif 000004
【図３】
2006208554.tif 000005
【図４】
2006208554.tif 000006
【図５】
2006208554.tif 000007
【図６】
2006208554.tif 000008
【図７】
2006208554.tif 000009
【図８】
2006208554.tif 000010
【図９】
2006208554.tif 000011